(57)【要約】【課題】夜間等の顧客が少ない時間帯における冷却装置の運転率、及び、照明装置の印加電力の低減を図ることにより、省エネ化を実現することができるショーケースを提供する。【解決手段】陳列室１１内を冷却する冷却装置と、照明灯３６等とを備えて成るショーケース１において、冷却装置及び照明灯３６等を制御する制御装置２０を備え、制御装置は２０、冷却装置の運転率が設定値より低い場合、照明灯３６等への印加電力を減少させ、且つ、陳列室１１の冷却設定値を上昇させる。【選択図】図２
2007252611.tif 000002
【特許請求の範囲】
【請求項１】
陳列室内を冷却する冷却装置と、照明装置とを備えて成るショーケースにおいて、
前記冷却装置及び照明装置を制御する制御装置を備え、
該制御装置は、前記冷却装置の運転率が設定値より低い場合、前記照明装置への印加電力を減少させ、且つ、前記陳列室の冷却設定値を上昇させることを特徴とするショーケース。
【請求項２】
前記制御装置は、前記照明装置に印加する電力を徐々に変更することを特徴とする請求項１に記載のショーケース。
【発明の詳細な説明】
【技術分野】
【０００１】
本発明は、陳列室内を冷却する冷却装置と、陳列室内や陳列室近傍を照明する照明装置とを備えて成るショーケースに関するものである。
【背景技術】
【０００２】
従来よりスーパーマーケットやコンビニエンスストアなどに設置されるショーケースは、本体内に形成される陳列室内に当該陳列室内やショーケース前方等を照明するための照明灯が取り付けられている。照明灯は、陳列室の天井面前部に位置するキャノピー下面や、棚が複数段架設されている場合には、当該棚下面前部に位置して取り付けられている（特許文献１参照）。
【０００３】
一般に、スーパーマーケットなどでは、営業時間外になると集中管理などによって各ショーケースの照明灯がＯＦＦされ、各ショーケースの冷却装置は、所謂ナイトセットバック制御が実行される。このナイトセットバック制御では、照明スイッチがＯＦＦしている閉店中における吐出冷気の設定温度、照明スイッチがＯＮしている開店中の設定温度より所定温度（例えば４ｄｅｇ）上昇する方向で運転制御が補正される。
【０００４】
これにより、照明灯の通電制御に基づいてショーケースの冷却装置の運転制御が行われることにより、営業時間外における冷却運転の運転率を低下させ、省エネが図られている。
【特許文献１】特開平７−１４３９２８号公報
【発明の開示】
【発明が解決しようとする課題】
【０００５】
一方、昨今のスーパーマーケットでは、営業時間の拡大が図られ、深夜にまで及ぶようになり、深夜等の夜間には、顧客が少ないにもかかわらず、冷却装置の運転を顧客が多い昼間などの場合と同様の条件でＯＮ−ＯＦＦ制御を行い、照明灯についても、同様の照度によって照明を行う。そのため、市場からは、係る顧客の少ない時間帯における冷却装置の運転率の見直しや、照明方法の見直しを行うことにより、ランニングコストを低減させることが要望されている。
【０００６】
そこで、本発明は従来の技術的課題を解決するためになされたものであり、夜間等の顧客が少ない時間帯における冷却装置の運転率、及び、照明装置の印加電力の低減を図ることにより、省エネ化を実現することができるショーケースを提供する。
【課題を解決するための手段】
【０００７】
本発明のショーケースは、陳列室内を冷却する冷却装置と、照明装置とを備えて成るものであって、冷却装置及び照明装置を制御する制御装置を備え、該制御装置は、冷却装置の運転率が設定値より低い場合、照明装置への印加電力を減少させ、且つ、陳列室の冷却設定値を上昇させることを特徴とする。
【０００８】
請求項２の発明のショーケースは、上記発明において、制御装置は、照明装置に印加する電力を徐々に変更することを特徴とする。
【発明の効果】
【０００９】
本発明によれば、陳列室内を冷却する冷却装置と、照明装置とを備えて成るショーケースにおいて、冷却装置及び照明装置を制御する制御装置を備え、該制御装置は、冷却装置の運転率が設定値より低い場合、照明装置への印加電力を減少させ、且つ、陳列室の冷却設定値を上昇させることにより、冷却装置の運転率が低下した際に、照明装置による照度を低下させることができると共に、陳列室の冷却設定温度を所定温度だけ上昇させることができる。
【００１０】
そのため、制御装置は、冷却装置の運転率が低下したことにより、顧客等が少なくなったことを判断することができ、これに基づき、照明装置による照度の低下や、陳列室内の冷却設定温度を上昇させる制御を行うことで、顧客等が少ない時間帯において消費電力量の少ない冷却運転を実現することが可能となる。
【００１１】
特に、照明装置への印加電力を減少させることで、照度を低下させ、これによって、ショーケースの陳列室内への庫内負荷を減少させることができ、上述したように、冷却設定温度を上昇させる制御を行った場合であっても、所定の冷却能力を確保することが可能となり、全体として、省エネ化を実現することが可能となる。これにより、夜間等の人が少ない時間帯を冷却装置の運転率に基づき判断し、省エネ運転を実行することが可能となるため、ランニングコストの低減を図ることが可能となる。
【００１２】
また、請求項２の発明によれば、上記発明において、制御装置は、照明装置に印加する電力を徐々に変更することにより、ショーケース周囲の顧客等に違和感を感じさせることなく照明装置の照度を変更させることが可能となる。
【発明を実施するための最良の形態】
【００１３】
次に、図面を参照して本発明の実施形態について詳述する。図１は本発明を適用したショーケース１の斜視図、図２は図１のショーケース１の縦断側面図をそれぞれ示している。
【００１４】
ショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１５】
ショーケース１の断熱壁２の内側には所定間隔を存して内壁４が取り付けられると共に、当該内壁４と断熱壁２との間にはそれぞれ間隔を存して区画壁４０が取り付けられ、内壁４と区画壁４０間には、内層ダクト４１が形成されると共に、区画壁４０と断熱壁２間には外層ダクト４２が形成されている。内壁４を構成する背部内壁１０の下端前方には、底板９が断熱壁２の底壁２Ａとの間にダクト用の間隔を存して取り付けられており、これら内壁４及び底板９の内側を陳列室１１としている。
【００１６】
また、この陳列室１１内には、高さ及び取付角度が変更可能であると共に、陳列室１１内背部の図示しない支柱に取り付けられる一対のブラケット３１及びこれらと共に棚装置を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。また、各棚板３２の下面前部には、下方の棚板３２上に陳列される商品を照明するための照明灯３６が配設されている。尚、当該照明灯３６は、本実施例では蛍光灯であり、詳細は後述する如く制御装置２０にてＯＮ−ＯＦＦ制御及び印加電力が制御される。尚、本実施例では、照明灯３６は、蛍光灯としているが、これに限定されるものではなく、例えばＬＥＤ等であっても良いものとする。
【００１７】
断熱壁２の前面開口１２の上縁にはハニカム材１３、１４がそれぞれ取り付けられた内層吹出口１６及び外層吹出口１７が並設されており、これら内層吹出口１６及び外層吹出口１７は、内層ダクト４１及び外層ダクト４２にそれぞれ連通している。尚、内層吹出口１６及び外層吹出口１７は、区画壁４０の前端において、仕切部材４５によって区画形成される。他方、開口１２の下縁には、内層吸込口１８と外層吸込口１９が並設されている。尚、内層吹出口１６の陳列室１１側の天面内壁８には、陳列室１１内を上方から照明するための照明灯３９が設けられている。尚、当該照明灯３９についても、上記照明灯３６と同様に制御装置２０にてＯＮ−ＯＦＦ制御及び印加電力が制御される。
【００１８】
また、断熱壁２の天壁２Ｂ前端にはパネル３３が取り付けられており、このパネル３３の内方には、パネル３３の後方に位置して照明灯３７を取り付けるための照明灯反射板５０が取り付けられる。尚、当該照明灯３７についても、上記照明灯３６と同様に制御装置２０にてＯＮ／ＯＦＦ制御及び印加電力が制御される。これにより、陳列室１１内は、上前方から照明灯３７にて照明される。また、断熱壁２の天壁２Ｂの前端には、下方に延出して前記外層吹出口１７の前側に位置して外層ダクト４２の前端を閉塞する吹出口外壁５２が取り付けられる。尚、この吹出口外壁５２は、下端が後側に折り返された図示しない係合部が形成されており、当該係合部によって、前記外層吹出口１７に取り付けられるハニカム材１４の前端が支持される。そして、この吹出口外壁５２の上面には、断熱壁２の天壁２Ｂの前端に位置して巻き取り式のナイトカバー５１が収容される。
【００１９】
一方、底板９下方後部には断熱壁２の底壁２Ａ上に内層ダクト４１及び外層ダクト４２のそれぞれに対応する送風機２７、２８（図３のみ図示する）が複数台設置されている。そして、背部内壁１０後方の内層ダクト４１内には冷却装置の図示しない冷却器が縦設されている。この冷却器と共に冷凍サイクルを構成する圧縮機２６（図３のみ図示する）、凝縮器、凝縮器用送風機４３（図３のみ図示する）等は、ショーケース１とは別置きに例えば、店舗内の機械室などに設けられており、当該ショーケース１と圧縮機２６等とは、図示しない冷媒配管にて配管接続されているものとする。そして、圧縮機２６や送風機２７、２８、更には、冷媒回路内における冷媒流量を制御する電磁弁２９は、前記制御装置２０に接続され、詳細は後述する如く冷却運転の制御が行われるものとする。
【００２０】
次に、図３を参照して上記制御装置２０について詳述する。図３はショーケース１の前記制御装置２０のブロック図を示している。この制御装置２０は汎用のマイクロコンピュータにより構成されており、時限手段としてのタイマ２１を備えている。そして、この制御装置２０の入力には、冷却制御用の温度センサ２２と、電源スイッチ２３と、照明スイッチ２４が接続されている。また、制御装置２０の出力には、前記圧縮機２６、送風機２７、２８、４３、電磁弁２９、照明灯３６、３７、３９が接続されている。尚、温度センサ２２は例えば陳列室１１内天井部に取り付けられているものとし、照明灯３６、３７、３９はそれぞれ電子安定器４６、４７、４８を介して接続されているものとする。
【００２１】
以上の構成で本発明の実施例のショーケース１の動作を説明する。先ず、電源スイッチ２３が投入されると、制御装置２０は、圧縮機２６、送風機２７及び２８を起動する。圧縮機２６が起動されると、内層ダクト４１に縦設される冷却器が冷却作用を発揮する。この冷却器と熱交換した冷気は、送風機２７の運転により、内層ダクト４１内を上昇せられ、内層吹出口１６より内層吸込口１８に向かって吹き出される。そして、内層吸込口１８から吸い込まれた冷気は再び前記送風機２７によって加速される。これにより、前面開口１２には、冷気エアーカーテンが形成される。
【００２２】
他方、外層ダクト４２に対応した送風機２８が運転されると外層ダクト４２内の保護気流は外層ダクト４２内を上昇せられ、外層吹出口１７より外層吸込口１９に向かって吹き出される。そして、外層吸込口１９から吸い込まれた空気は再び前記送風機２８によって加速される。これによって、前面開口１２には、冷気エアーカーテンの外側に保護エアーカーテンが形成され、開口１２には前後二重のエアーカーテンが形成されることとなる。そして、内側の冷気エアーカーテンの一部が陳列室１１内に循環されて陳列室１１は冷却される。
【００２３】
制御装置２０は、送風機２７、２８を連続運転し、圧縮機２６と凝縮器用送風機４３については温度センサ２２の出力に基づき、例えば＋５℃で起動し、＋３℃で停止するＯＮ−ＯＦＦ制御を実行する。これによって、陳列室１１内が平均＋４℃の冷蔵温度に冷却されることになる。尚、本実施例では、圧縮機２６と凝縮器用送風機４３のＯＮ−ＯＦＦ制御のみによって陳列室１１内の温度制御を行っているが、これに限定されるものではなく、これに加えて、電磁弁２９による開度制御を行うことによっても温度制御を行っても良いものとする。
【００２４】
そして、制御装置２０は、上記ＯＮ−ＯＦＦ制御における各ＯＮ時間及びＯＦＦ時間をタイマ２１にて計測し、当該ＯＮ−ＯＦＦ制御のタイミングに基づき、各照明灯３６、３７、３９の印加電力を制御すると共に、冷却温度の設定温度を補正する。以下、図４のフローチャート図を参照して説明する。
【００２５】
一般に、店舗内に顧客等が多く来店する昼間等の時間帯には、店舗内温度が上昇する傾向にある。また、顧客がショーケース１の陳列室１１内から商品を取り出す作業を行ったり、店員が陳列室１１内へ商品の陳列作業を行うことで、前面開口に形成されるエアーカーテンが乱されることとなり、外気が陳列室１１内に侵入しやすくなる。これに対し、深夜等の営業時間帯では、昼間の営業時間帯に比して顧客等の来店が少なくなるため、昼間の営業時間帯におけるＯＮ−ＯＦＦ制御に比べて、ＯＮ時間が短く、ＯＦＦ時間が長い傾向となる。そのため、ＯＮ−ＯＦＦ制御による冷却装置の運転率は、昼間の顧客が多い営業時間帯に比べ、低下する。
【００２６】
そこで、本実施例では、制御装置２０は、ステップＳ１においてＯＮ−ＯＦＦ制御による冷却装置の運転率が所定の運転率よりも低いか否かを判断し、所定の運転率よりも低い場合には、現在の状況が深夜等の顧客の少ない時間帯であると判断し、ステップＳ２に進む。
【００２７】
ステップＳ２では、制御装置２０は、各照明灯３６、３７、３９の調光出力、即ち印加電力が所定の下限値、例えば所定の上限値の約５０％であるか否かを判断し、既に下限値まで印加電力が下げられている場合には、再びステップＳ１に戻り、下限値にまで印加電力が下げられていない場合には、ステップＳ３に進む。
【００２８】
そして、制御装置２０は、ステップＳ３においてタイマ２１により、前回の調光変化から所定の遅延時間が経過しているか否かを判断し、経過していない場合には、再びステップＳ１に戻り、経過している場合には、ステップＳ４に進み、タイマ２１をクリアする。
【００２９】
その後、制御装置２０は、ステップＳ５において各照明灯３６、３７、３９の各電子安定器４６、４７、４８への印加電力を一段階減少させる。これにより、各照明灯３６、３７、３９は、照度が一段階だけ下がる。尚、当該照度を一段階だけ変化させた場合にあっては、顧客がショーケース１の近傍に位置していた場合であっても、容易に照度の変化を感知しにくい程度であるものとする。
【００３０】
その後、制御装置２０は、ステップＳ６に進み、制御装置２０自体が有する陳列室１１内の冷却設定温度を一段階だけ上昇させる補正を行う。補正を行った後、制御装置２０は、再びステップＳ１に戻り、ＯＮ−ＯＦＦ制御による冷却装置の運転率が所定の運転率よりも低い場合には、上述した如き制御を繰り返すことで、ショーケース１の各照明灯３６、３７、３９への印加電力を上限値の約５０％程度にまで減少させると共に、冷却設定温度を所定の冷却温度にまで上昇させる。
【００３１】
これにより、現在の状況が深夜等の顧客の少ない時間帯であることを、ＯＮ−ＯＦＦ制御による冷却装置の運転率から推定し、これに基づき、各照明灯３６、３７、３９を上限の約５０％程度にまで段階的に印加電力を低下させることが可能となると共に、冷却設定温度を所定の冷却温度にまで段階的に上昇させることが可能となる。
【００３２】
そのため、顧客の少ない時間帯において、各照明灯３６、３７、３９の照度の低下及び陳列室１１内の冷却設定温度を上昇させる制御を行うことで、必要最低限において陳列室１１内の照明及び冷却を行うことが可能となるため、係る顧客の少ない時間帯における電力量の消費を最小限度にまで低減させることが可能となる。
【００３３】
また、各照明灯３６、３７、３９への印加電力を減少させることで、照度を低下させることで、陳列室１１内への庫内負荷を減少させることができるため、上述したように、冷却設定温度を上昇させる制御を行った場合であっても、所定の冷却能力を確保することが可能となり、全体として、省エネ化を実現することが可能となる。
【００３４】
これにより、夜間等の人が少ない時間帯を冷却装置の運転率に基づき判断し、省エネ運転を実行することが可能となるため、ランニングコストの低減を図ることが可能となる。
【００３５】
また、各照明灯３６、３７、３９への印加電力の減少は、一段階変更させる度に、遅延時間を設けることから、段階的に（徐々に）照度を低下させることが可能となる。そのため、ショーケース１周囲の顧客等に違和感、具体的には、突然、照度が約５０％程度低減されることによる不信感を感じさせる不都合を回避することが可能となる。
【００３６】
他方、図３のステップＳ１において、制御装置２０が、ＯＮ−ＯＦＦ制御による冷却装置の運転率が所定の運転率よりも高いと判断した場合には、現在の状況が深夜等の顧客の少ない時間帯から顧客が増加した時間帯に移行したものと判断し、ステップＳ７に進む。
【００３７】
ステップＳ７では、制御装置２０は、各照明灯３６、３７、３９の調光出力、即ち印加電力が所定の上限値であるか否かを判断し、既に上限値まで印加電力が上げられている場合には、再びステップＳ１に戻り、上限値にまで印加電力が上げられていない場合には、ステップＳ８に進む。
【００３８】
そして、制御装置２０は、ステップＳ８においてタイマ２１により、前回の調光変化から所定の遅延時間が経過しているか否かを判断し、経過していない場合には、再びステップＳ１に戻り、経過している場合には、ステップＳ９に進み、タイマ２１をクリアする。
【００３９】
その後、制御装置２０は、ステップＳ１０において各照明灯３６、３７、３９の各電子安定器４６、４７、４８への印加電力を一段階上昇させる。これにより、各照明灯３６、３７、３９は、照度が一段階だけ上がる。尚、当該照度を一段階だけ変化させた場合にあっては、顧客がショーケース１の近傍に位置していた場合であっても、容易に照度の変化を感知しにくい程度であるものとする。
【００４０】
その後、制御装置２０は、ステップＳ１１に進み、制御装置２０自体が有する陳列室１１内の冷却設定温度を一段階だけ降下させる補正を行う。補正を行った後、制御装置２０は、再びステップＳ１に戻り、ＯＮ−ＯＦＦ制御による冷却装置の運転率が所定の運転率よりも高い場合には、上述した如き制御を繰り返すことで、ショーケース１の各照明灯３６、３７、３９への印加電力を上限値にまで上昇させると共に、冷却設定温度を所定の冷却温度にまで降下させる。
【００４１】
これにより、現在の状況が深夜等の顧客の少ない時間帯から顧客が増加した時間帯に移行したことをを、ＯＮ−ＯＦＦ制御による冷却装置の運転率から推定し、これに基づき、各照明灯３６、３７、３９を上限まで段階的に印加電力を上昇させることが可能となると共に、冷却設定温度を所定の冷却温度にまで段階的に降下させることが可能となる。
【００４２】
そのため、顧客の少ない時間帯から顧客が増加した時間帯に移行した場合において、各照明灯３６、３７、３９の照度の上昇させる制御を行うことで、最も商品の陳列に適した照度によって陳列室１１内の商品の照明を行うことが可能となる。また、各照明灯３６、３７、３９への印加電力の上昇に伴い、陳列室１１内の冷却設定温度を降下させる制御を行うことで、顧客の存在により陳列室１１温度が上昇し易い状況であっても、適切に陳列室１１内の冷却を行うことが可能となる。
【００４３】
特に、本発明では、顧客の少ない時間帯から顧客が増加した時間帯に移行したことを、ＯＮ−ＯＦＦ制御による冷却装置の運転率から推定するため、日々変化する状況に対応することが可能となり、深夜であるにもかかわらず、多くの顧客が来店した場合であっても、最も商品の陳列に適した照度によって照明することが可能となると共に、冷却設定温度を最適な状態に、設定することが可能となる。これにより、ランニングコストの低減を実現しつつ、顧客の状態に応じた陳列を実現することが可能となる。
【００４４】
また、各照明灯３６、３７、３９への印加電力の上昇は、一段階変更させる度に、遅延時間を設けることから、段階的に（徐々に）照度を上昇させることが可能となる。そのため、ショーケース１周囲の顧客等に違和感、具体的には、突然、照度が急激に上昇することによる不信感を感じさせる不都合を回避することが可能となる。
【００４５】
尚、本実施例では、各照明灯３６、３７、３９への印加電力を一段階変化させることに伴って、冷却設定温度を一段階変化させているが、これに限定されるものではなく、例えば、図５又は図６に示されるように、照明装置への印加電力の変化に伴い、係る照明装置による冷却負荷の変化によって、変化する庫内温度に基づき、冷却設定温度を変化させる制御を行っても同様の効果が得られるものとする。具体的には、図５に示すように、段階的に照明装置への印加電力を減少させることで、係る照明装置による冷却負荷が減少し、これに伴って温度センサ２２により検出される陳列室１１内温度が低下する。当該温度変化に基づき、冷却設定温度を上昇させる補正を行う。また、図６に示すように、段階的に照明装置への印加電力を上昇させることで、係る照明装置による冷却負荷が増加し、これに伴って温度センサ２２により検出される陳列室１１内温度が上昇する。当該温度上昇に基づき、冷却設定温度を低下させる補正を行うものである。
【００４６】
また、本実施例では、照明灯３６、３７、３９への印加電力を段階的に変化させているが、これに限定されるものではなく、図７に示されるように、一段階で、印加電力の変化及び、冷却設定温度を変化させてた場合であってもよいものとする。
【００４７】
また、上述した如き制御は、ある時間帯のみ行うことも可能であると共に、強制的に解除することも可能であるものとする。
【図面の簡単な説明】
【００４８】
【図１】本発明を適用したショーケースの斜視図である。
【図２】図１のショーケースの縦断側面図である。
【図３】ショーケースの制御装置のブロック図である。
【図４】照明装置の調光制御に関するフローチャート図である。
【図５】他の実施例における調光出力に対する照度・温度・冷却設定温度の変化を示す図（印加電力減少時）である。
【図６】他の実施例における調光出力に対する照度・温度・冷却設定温度の変化を示す図（印加電力上昇時）である。
【図７】もう一つの他の実施例における調光出力に対する照度・冷却設定温度の変化を示す図（印加電力減少時）である。
【符号の説明】
【００４９】
１    ショーケース
２    断熱壁
１１  陳列室
１２  開口
２０  制御装置
２１  タイマ
２２  温度センサ
２３  電源スイッチ
２４  照明スイッチ
２６  圧縮機
２７、２８  送風機
２９  電磁弁
３６、３７、３９  照明灯
４６、４７、４８  電子安定器
５１  ナイトカバー
【図１】
2007252611.tif 000003
【図２】
2007252611.tif 000004
【図３】
2007252611.tif 000005
【図４】
2007252611.tif 000006
【図５】
2007252611.tif 000007
【図６】
2007252611.tif 000008
【図７】
2007252611.tif 000009